(57)【要約】【課題】  空気の流出入を活発にして、通気性をよくする。【解決手段】  下部ソール４の上面に、靴底１の側面まで達する横溝５が形成され、凹部７を形成した上部ソール３を下部ソール４に積層する。凹部７に、弾力性を有するブロック体８が嵌め込まれ、ブロック体８の上部が上部ソール３の上面よりも上方に突出する。下部ソール４の上面に、通気性を有する支持シート９が配され、凹部７内においてブロック体８を支持する。ブロック体８の縦孔１０および支持シート９を通じて靴内部と横溝５とが連通され、ブロック体８に荷重がかかったときに縦孔１０が変形して、横溝５を通じて空気の流出入が生じる。【選択図】  図３
2006320657.tif 000002
【特許請求の範囲】
【請求項１】
靴底の上面に、凹部が形成され、該凹部の底面に横溝が形成され、該横溝は、前記靴底の側面に形成された通気孔と連通され、前記凹部に、弾力性を有するブロック体が嵌め込まれ、該ブロック体の上部が、前記靴底の上面よりも上方に突出し、前記ブロック体に縦孔が形成され、前記凹部の底面上に、荷重がかかったときに前記ブロック体が前記横溝に入り込むことを防ぐための支持シートが配され、該支持シートは通気性を有し、前記縦孔および支持シートを通じて靴内部と前記横溝とが連通され、前記ブロック体に荷重がかかったときに前記縦孔が変形して、前記通気孔と靴内部との間で空気の流出入が生じることを特徴とする通気靴。
【請求項２】
上部ソールと下部ソールからなる２層構造の靴底を備え、前記下部ソールの上面に横溝が形成され、該横溝は、前記下部ソールの側面に達し、前記上部ソールに、前記下部ソールに到達するように貫通した凹部が形成され、該凹部に、弾力性を有するブロック体が嵌め込まれ、該ブロック体の上部が、前記上部ソールの上面よりも上方に突出し、前記ブロック体に縦孔が形成され、前記凹部内に、荷重がかかったときに前記ブロック体が前記横溝に入り込むことを防ぐための支持シートが配され、該支持シートは通気性を有し、前記縦孔および支持シートを通じて靴内部と前記横溝とが連通され、前記ブロック体に荷重がかかったときに前記縦孔が変形して、前記横溝を通じて空気の流出入が生じることを特徴とする通気靴。
【請求項３】
上面が凹んで周縁に周壁が形成されたアウトソールと、凹みに嵌め込まれたミッドソールとからなる２層構造の靴底を備え、前記アウトソールの上面に横溝が形成され、該横溝は前記周壁を貫通して、前記靴底の側面に達する通気孔とされ、前記ミッドソールに、前記アウトソールに到達するように貫通した凹部が形成され、該凹部に、弾力性を有するブロック体が嵌め込まれ、該ブロック体の上部が、前記上部ソールの上面よりも上方に突出し、前記ブロック体に縦孔が形成され、前記凹部内に、荷重がかかったときに前記ブロック体が前記横溝に入り込むことを防ぐための支持シートが配され、該支持シートは通気性を有し、前記縦孔および支持シートを通じて靴内部と前記横溝とが連通され、前記ブロック体に荷重がかかったときに前記縦孔が変形して、前記横溝を通じて空気の流出入が生じることを特徴とする通気靴。
【請求項４】
複数の横溝が交差して形成され、複数の縦孔と横溝とが連通するように、支持シートの内部に水平方向への通気路が形成されたことを特徴とする請求項１、２または３記載の通気靴。
【請求項５】
凹部の大きさは、靴底のサイズに関係なく一定とされ、ブロック体は、前記凹部に応じて一定の形状とされたことを特徴とする請求項１、２または３記載の通気靴。
【発明の詳細な説明】
【技術分野】
【０００１】
本発明は、靴内部の通気性をよくした通気靴に関する。
【背景技術】
【０００２】
足の発汗によって、靴内部が蒸れることがある。これを防ぐためには、靴内部の通気性をよくすればよい。例えば、特許文献１の靴では、靴底の一部をくりぬいて凹部が形成され、凹部から靴底の側面に通じる通気溝が形成され、凹部に通気性の中物が収納される。凹部に溜まった湿気は、歩行時のポンプ作用による通気溝から排出される。
【０００３】
また、特許文献２の靴では、靴底の上面に、弾性を有する管が設置され、管の一端に導管が接続され、導管は靴底の側面まで延伸される。管には、通気孔が設けられ、管が押圧されると、管内部の空気が流出入する。
【特許文献１】特開平３−２３６８０１号公報
【特許文献２】登録実用新案第３０８０９０４号公報
【発明の開示】
【発明が解決しようとする課題】
【０００４】
特許文献１のような構造にすると、十分なポンプ作用が得られず、靴内部の空気を排出できない。また、特許文献２のような構造にすると、管がつま先側から踵側にかけて配されているため、歩行時に管に対する荷重のかかる位置が変わる。管から足裏が離れると、管内部の空気は荷重のかかっていない箇所から靴内部に排出され、靴外部には排気されない。このように、靴内部を換気するには、いずれも不十分であり、通気性が劣る。
【０００５】
本発明は、上記に鑑み、空気の流出入を活発にして、通気性をよくした通気靴の提供を目的とする。
【課題を解決するための手段】
【０００６】
本発明は、靴底の上面に、凹部が形成され、該凹部の底面に横溝が形成され、該横溝は、前記靴底の側面に形成された通気孔と連通され、前記凹部に、弾力性を有するブロック体が嵌め込まれ、該ブロック体の上部が、前記靴底の上面よりも上方に突出し、前記ブロック体に縦孔が形成され、前記凹部の底面上に、荷重がかかったときに前記ブロック体が前記横溝に入り込むことを防ぐための支持シートが配され、該支持シートは通気性を有し、前記縦孔および支持シートを通じて靴内部と前記横溝とが連通されたものである。
【０００７】
靴底は、上部ソールと下部ソールからなる２層構造とされる。下部ソールの上面に横溝が形成され、該横溝は、前記下部ソールの側面に達する。上部ソールに、下部ソールに到達するように貫通した凹部が形成される。下部ソールと上部ソールとが積層されることにより、横溝が上部ソールに覆われ、通気孔が形成される。
【０００８】
また、靴底は、上面が凹んで周縁に周壁が形成されたアウトソールと、凹みに嵌め込まれたミッドソールとからなる２層構造とされる。アウトソールの上面に横溝が形成され、該横溝は前記周壁を貫通して、前記靴底の側面に達する通気孔とされる。前記ミッドソールに、前記アウトソールに到達するように貫通した凹部が形成される。アウトソールとミッドソールとが積層されることにより、横溝がミッドソールに覆われる。
【０００９】
そして、ブロック体に荷重がかかったときに縦孔が変形して、通気孔と靴内部との間で空気の流出入が生じる。すなわち、歩行するとき、足がブロック体を踏んだり、離れたりする。ブロック体は靴底よりも上方に突出しているので、荷重が集中的にかかり、ブロック体にかかる荷重が大きく変化する。ブロック体は凹部に嵌め込まれているので、ブロック体に荷重がかかったときには、ブロック体は広がることができず、縦孔が変形する。縦孔の容積が減少して、縦孔内の空気が押し出される。空気は支持シート、横溝を通って通気孔から靴外部に流出する。ブロック体にかかる荷重が減ると、ブロック体は元に戻り、縦孔の容積が増大する。このとき、縦孔の周囲の空気が吸い込まれ、靴の外部や内部の空気が流入する。また、ブロック体に荷重がかかったとき、ブロック体は下方に押し下げられるが、支持シートによって保持される。そのため、ブロック体の下部が変形して、横溝に入り込むことを防げる。
【００１０】
複数の横溝が交差して形成され、複数の縦孔と横溝とが連通するように、支持シートの内部に水平方向への通気路が形成される。縦孔の位置と横溝の位置とがずれていても、支持シートを通じて縦孔と横溝との間で空気が流れる。
【００１１】
凹部の大きさは、靴底のサイズに関係なく一定とされ、ブロック体は、前記凹部に応じて一定の形状とされる。靴底のサイズが変わっても、同じ形状のブロック体を用いることができる。
【発明の効果】
【００１２】
本発明によると、歩行時にブロック体が踏まれることにより、縦孔が大きく変形して、横溝を通じて空気が流出入する。これによって、靴内部の空気が外部に排出され、外部の空気が入ってきて、靴内部の換気が効率よく行える。
【発明を実施するための最良の形態】
【００１３】
本実施形態の通気靴を図１に示す。通気靴は、靴底１とアッパー２とから構成される。図２、３に示すように、靴底１は、上部ソール３と下部ソール４からなる２層構造とされる。上部ソール３および下部ソール４はそれぞれゴム製とされ、接着されている。上部ソール３の上面に、アッパー２が接着されるか、あるいは縫い付けられて、靴底１にアッパー２が一体的に取り付けられる。
【００１４】
図４に示すように、下部ソール４の上面には、横溝５が設けられている。横溝５は前後左右の方向に形成され、左右方向の横溝５と前後方向の横溝５とが交差し、複数の横溝５は互いに連通する。左右方向の横溝５は、下部ソール４の側面まで達し、図１に示すように、靴底１の側面の通気孔６となる。
【００１５】
横溝５は、足裏が当たる下部ソール４のつま先側と踵側にそれぞれ配置される。これに対応して、上部ソール３のつま先側および踵側の一部がそれぞれくり貫かれており、上部ソール３が下部ソール４に積層されることにより、凹部７となる。つま先側の凹部７は靴底１の輪郭に合わせた形状に形成され、踵側の凹部７は円形に形成される。下部ソール４の上面が凹部７の底面となり、凹部７内に横溝５が現れ、側面寄りの横溝５の一部が上部ソール３に覆われ、通気孔６が形成される。
【００１６】
凹部７には、図２、３に示すように、ブロック体８と支持シート９とが設けられる。ブロック体８は、ゴム、エラストマ等の弾力性を有する材料からなり、凹部７の形状に合わせて成形される。ブロック体８の大きさは、凹部７の大きさと同じとされ、ブロック体８は凹部７に嵌め込まれる。ブロック体８には、複数の縦孔１０が形成され、ブロック体８を上下方向に貫通する。縦孔１０は、等間隔に規則正しく並んでいる。なお、縦孔１０は、ランダムに並んでいてもよい。
【００１７】
支持シート９は、凹部７と同じ形状の形成された通気性を有するシートである。支持シート９は、凹部７に嵌め込まれ、下部ソール４とブロック体８との間に配される。ブロック体８が横溝５に入り込まないように、支持シート９がブロック体８を受けている。
【００１８】
支持シート９の構造として、合成繊維製の表地と裏地とを合成繊維製の複数の糸で連結した立体的な構造とされ、上下方向の荷重に対する弾力性を有する。支持シート９に上下方向の荷重がかかると、支持シート９は圧力を分散して圧縮される。このとき、支持シート９の下面は局所的に沈むことはなく、横溝５を塞がない。
【００１９】
表地および裏地には、多数の微小孔が形成され、支持シート９の内部は、網目構造となっており、上下方向だけでなく水平方向にも連なった空間が形成される。このような支持シート９において、空気は上下方向および水平方向に流通する。したがって、下部ソール４とブロック体８との間に支持シート９が介在することにより、ブロック体８の縦孔１０の位置と横溝５の位置とがずれていても、縦孔１０と横溝５との間で空気は流通する。これにより、靴内部から、縦孔１０、支持シート９、横溝５を経て通気孔６に至る通気路が形成される。
【００２０】
ブロック体８の上部は、上部ソール４の上面よりも上方に突出している。突出高さは、１〜２ｍｍとされる。上部ソール４の上方には、中敷１１が配され、ブロック体８の平坦な上面が覆われる。中敷１１は、薄いラバー、皮等からなり、微小な孔が形成されて、通気性を有する。
【００２１】
上記の通気靴を履いたとき、足が中敷１１を介して靴底１から突出しているブロック体８を踏む。そして、歩行すると、まず足が踵側のブロック体８を押圧し、次いでつま先側のブロック体８を押圧する。ブロック体８に上方から荷重がかかると、ブロック体８は水平方向に広がるように変形するが、凹部７の壁面によって、この広がりが規制される。そのため、縦孔１０が変形して押し潰され、縦孔１０の容積が減少する。縦孔１０の上側は足により塞がれているので、縦孔１０内にある空気は、下方に向かって押し出される。空気は、支持シート９から横溝５内に流れ、通気孔６から靴外部に排出される。そして、足が靴底１の上面から離れると、ブロック体８への荷重がなくなり、弾力性により縦孔１０は元に戻る。縦孔１０の容積が増え、横溝５を通じて外気を吸い込むとともに、靴内部の空気も吸い込む。これを繰り返すことにより、靴外部と靴内部との間で空気の流出入が生じ、靴内部の換気が行われる。
【００２２】
ここで、ブロック体８が靴底１から突出しておらず、例えば上部ソール４と面一であると、足がブロック体８だけでなく上部ソール４も押圧する。そのため、荷重が分散して、ブロック体８にかかる荷重が減る。突出している場合に比べて、縦孔１０の変形が少なくなって、押出作用および吸込作用が十分に発揮されない。一方、ブロック体８を靴底１よりも上方に突出させることにより、ブロック体８に集中的に荷重がかかる。これによって、押出作用および吸込作用が大いに発揮され、通気性が向上する。
【００２３】
弾力性を有するブロック体８は変形しやすいので、支持シート９がない場合、ブロック体８に荷重がかかったとき、ブロック体８が押し潰されて横溝５に入り込み、横溝５を塞いでしまう。そこで、支持シート９を設けることにより、荷重がかかってもブロック体８の下面を保持して、横溝５に入り込むことを防止でき、通気路を確保できる。
【００２４】
靴底１を２層構造とすることにより、下部ソール４の上面に横溝５を形成してから、上部ソール３を貼り合わせることができ、簡単に通気孔を形成できる。これにより、自由に横溝５を形成でき、直線、曲線、波形、円形、多角形といったような形状にすることができる。
【００２５】
凹部７は、靴底１のサイズに関係なく一定の大きさとされる。これに伴い、ブロック体８および支持シート９も一定の大きさとされる。１種類のブロック体８および支持シート９を準備しておくだけでよく、汎用性が高まり、大量生産するのに適する。しかも、ブロック体８を嵌め込むとき、ブロック体８を間違えるようなことは起こり得えない。そして、ブロック体８を凹部７に嵌め込むだけといった簡単な作業ですむ。したがって、製造ミスが少なくなり、製造コストを大いに低減することができる。
【００２６】
他の形態の通気靴を図５に示す。この通気靴は、例えばトレーニングシューズ、スニーカとされる。靴底１は、アウトソール２０とミッドソール２１とからなる２層構造とされる。靴底１の上面に、中敷２２、カップインソール２３がそれぞれ積層される。なお、ブロック体８および支持シート９は上記と同じである。
【００２７】
アウトソール２０とミッドソール２１は、同一のゴム製とされる。アウトソール２０の上面は凹んでおり、周縁に周壁２４が形成される。ミッドソール２１は、アウトソール２０の輪郭に相似した形状とされ、ミッドソール２１が凹みに嵌め込まれて、接着されることにより、アウトソール２０とミッドソール２１とが一体化した靴底１が形成される。
【００２８】
アウトソール２０の上面には、上記と同様の横溝５が形成される。周壁２４を貫通する通気孔６が形成され、通気孔６は、横溝５と連通している。ミッドソール２１のつま先側および踵側の一部がそれぞれくり貫かれており、ミッドソール２１がアウトソール２０に積層され、横溝５の一部がミッドソール２１に覆われる。
【００２９】
中敷２２は、ラバー、皮等からなる一般的なものであり、ミッドソール２１と同様に中敷２２の一部がくり貫かれている。すなわち、中敷２２は、ミッドソール２１と同形状である。中敷２２がミッドソール２１の上面に積層され、ミッドソール２１と中敷２２とによって、アウトソール２０に達する凹部７が形成される。凹部７に、支持シート９が嵌め込まれ、この上にブロック体８が嵌め込まれる。ブロック体８の上部は、中敷２２の上面よりも上方に突出している。
【００３０】
カップインソール２３は、スポンジ等の弾性材料からなる一般的な構造のものである。なお、カップインソール２３の表地には、銀等の金属イオンをコーティングした繊維が使用され、抗菌性を有している。
【００３１】
そして、この通気靴においても同様に、靴外部と靴内部との間で空気の流出入が生じ、靴内部の換気が行われる。
【００３２】
なお、本発明は、上記実施形態に限定されるものではなく、本発明の範囲内で上記実施形態に多くの修正および変更を加え得ることは勿論である。通気靴は、ビジネスシューズ、スニーカ、サンダル、ブーツに適用でき、病院、学校、事務所、店舗等の屋内で履く履物に適している。
【００３３】
上記の通気靴の靴底は２層構造であるが、１層構造の場合、靴底の上面に凹部が形成され、凹部の底面に横溝が形成される。靴底の側面から凹部に向かって通気孔が形成され、通気孔が横溝と連通する。その他の構成は上記構成と同じである。
【００３４】
ブロック体の上面を凹凸にしておいてもよい。これにより、足裏を刺激することができ、足裏のマッサージ効果が高まる。また、横溝を下部ソールの上面全体に形成して、ブロック体を嵌め込んだ凹部を前後の２箇所に限らず、複数箇所に設けてもよい。
【図面の簡単な説明】
【００３５】
【図１】本発明の通気靴の側面図
【図２】靴底の横断面図
【図３】靴底の縦断面図
【図４】ブロック体を抜いた状態の靴底の平面図
【図５】他の形態の靴底の横断面図
【符号の説明】
【００３６】
１    靴底
２    アッパー
３    上部ソール
４    下部ソール
５    横溝
６    通気孔
７    凹部
８    ブロック体
９    支持シート
１０    縦孔
２０    アウトソール
２１    ミッドソール
２２    中敷
２３    カップインソール
２４    周壁
【図１】
2006320657.tif 000003
【図２】
2006320657.tif 000004
【図３】
2006320657.tif 000005
【図４】
2006320657.tif 000006
【図５】
2006320657.tif 000007